(57)【要約】【課題】１本の脚柱によるテーブルであっても、これを取り外すことなくコンパクトな形態にスタックすることができるようにすることを課題とする。【解決手段】１本の脚柱の上端にテーブル天板の中心位置を支持するテーブルにおいて、１本の脚柱２の上端にテーブル天板３を転回支持止手段５により水平姿勢と垂直姿勢とをとり得るよう転回自在に支持し、前記脚柱２の下端には等角配置で放射方向に４本の脚足４１、４１、４２、４２を有し、垂直姿勢としたテーブル天板３に対し、その一面側に位置する２本の脚足４１，４１は反対側の２本の脚足４２、４２の上に重なり合える高さ位置に設定してなり、垂直姿勢としたテーブル天板が重なり合うように集積したとき、その前後に位置する脚足４１，４２が互いに重なり合ってスタックされるようにしたことを特徴とする。【選択図】  図４
2004187851.tif 000002
【特許請求の範囲】
【請求項１】
１本の脚柱の上端にテーブル天板の中心位置を支持するテーブルにおいて、１本の脚柱の上端にテーブル天板を転回支持手段により水平姿勢と垂直姿勢とを取り得るよう転回自在に支持し、前記脚柱の下端には等角配置で放射方向に４本の脚足を設け、垂直姿勢としたテーブル天板に対しその一面側に位置する２本の脚足は反対側の２本の脚足の上に重なり合える高さ位置に設定してなり、垂直姿勢としたテーブル天板が重なり合うように集積したとき、その前後に位置する脚足が互に重なり合ってスタックされるようにしたことを特徴とするスタックテーブル。
【請求項２】
前記回転支持手段は、前記脚柱の上端にテーブル天板の中央位置を水平姿勢から垂直姿勢にかけて転回自在に支持する枢軸と、テーブル天板の下面に切り換え操作可能に設けられた係止杆と、前記支持部に設けられ前記係止杆に設けられた係止爪がテーブル天板の水平転回時および垂直転回時において係合しテーブル天板をその位置で拘束する水平姿勢用および垂直姿勢用の係止段部と、前記支持部に設けられテーブル天板の水平姿勢転回時にその下面を支える突出部とで構成されている請求項１記載のスタックテーブル。
【発明の詳細な説明】
【０００１】
【発明の属する技術分野】
本発明はテーブルに係り、特に不使用時に小容積化してスタックすることを可能とするスタックテーブルに関する。
【０００２】
【従来の技術】
従来から会議用や各種打ち合わせ用のテーブルとして、必要時に所定の場所へ持ち出して使用するテーブルがある。
【０００３】
この種のテーブルは、不使用時にコンパクトな形態として倉庫等に収納しておけるようにするため、その脚の本数（１本脚、４本脚）に拘らず不使用時には天板から脚を取り外し、それぞれを個別に収納しておけるようにするか、あるいは４本脚の場合、脚を折り畳めるようにしてコンパクトな形態とするようになされていた。
【０００４】
しかして上記のように使用時に脚を取り付け、不使用時に取り外すことはきわめて煩わしい作業が強いられ、特に会議用や打ち合わせ用のテーブルではその数が多いため一層容易でない。
【０００５】
そこで脚を取り外したり折り畳むことなく小容積にスタックすることができるようにしたテーブルとして従来から種々提案されている。
【０００６】
すなわち図９（Ａ）にスタック状態を示すように、左右の脚柱ａ，ａにテーブル天板ｂを軸ｃ中心に垂直姿勢に転回自在とするとともに左右の脚柱ａ，ａの接地部ｄ，ｄを順次入り組ませてスタックさせるようにしたもの、あるいは図９（Ｂ）に示すように、テーブル天板ｂを軸ｃを中心に垂直姿勢に転回自在とするとともに、左右の脚柱ａ，ａの接地部ｄ、ｄを平面視「ハ」の字状に形成し、これら接地部ｄ、ｄを順次入れこ式に嵌め込むことによりスタックさせるようにしたもの（特許文献１参照）がある。
【０００７】
【特許文献１】
特開２００２−１０１９６０号公報
【０００８】
【発明が解決しようという課題】
しかるに上記図９（Ａ）に示す方式によるものでは、脚柱ａ，ａの接地部ｄ、ｄが横方向に重なり合ってスタックされるので、多数のテーブルをスタックすると全体に平面視斜め状態となり、そのため格納スペースを効率よく使用することができないという問題がある。
【０００９】
図９（Ｂ）に示す方式によるものでは、脚柱ａ．ａの接地部ｄ、ｄが八の字状となるので、テーブルのデザイン上違和感があって好ましいものではない。
【００１０】
また上記いずれの方式も、打ち合わせ用の比較的小型で１本の脚柱により設置するタイプのテーブルには適用することができず、このようなテーブルを多数収納しておくには広いスペースを用意するか、またはテーブル天板と脚柱とを分離して各別に収納するほかはなかった。
【００１１】
本発明はこれに鑑み、脚柱を１本で構成するテーブルであっても、これを取り外すことなくコンパクトな形態にスタックすることを可能とするスタックテーブルを提供することを課題としてなされたものである。
【００１２】
【課題を解決するための手段】
上記課題を解決する手段として本発明は、１本の脚柱の上端にテーブル天板の中心位置を支持するテーブルにおいて、１本の脚柱の上端にテーブル天板を転回支持手段により水平姿勢と垂直姿勢とを取りうるよう転回自在に支持し、前記脚柱の下端には等角配置で放射方向に４本の脚足を設け、垂直姿勢としたテーブル天板に対しその一面側に位置する２本の脚色は反対側の２本の脚足の上に重なり合える高さ位置に設定してなり、垂直姿勢としたテーブル天板が重なり合うように集積したとき、その前後に位置する脚足が互いに重なり合ってスタックされるようにしたことを特徴とする。
【００１３】
こうしたことにより、１本の脚柱でテーブル天板を支持する形態のテーブルであっても最小容積の形態としてスタックすることができ、またスタック時に整列状態が曲がることなく整然とした姿勢となり、格納スペースを有効に使用することができる。
【００１４】
前記回転支持手段は、前記脚柱の上端にテーブル天板の中央位置を水平姿勢から垂直姿勢にかけて転回自在に支持する枢軸と、テーブル天板の下面に切り換え操作可能に設けられた係止杆と、前記支持部に設けられ前記係止杆に設けられた係止爪がテーブル天板の水平転回時および垂直転回時において係合しテーブル天板をその位置で拘束する水平姿勢用および垂直姿勢用の係止段部と、前記支持部に設けられテーブル天板の水平姿勢転回時にその下面を支える突出部とで構成することが好ましい。
【００１５】
このようにすることにより、係止杆を操作するだけでテーブル天板の姿勢を変換させることができ、随時持ち出して使用する機会の多い打ち合わせ用の小型テーブルの場合などでは特に有効である。
【００１６】
【発明の実施の形態】
以下、本発明を図面に示す実施の形態を参照して説明する。
【００１７】
本発明によるスタックテーブル１は、１本の脚柱２と、この脚柱２の上端に中心部が支持されるテーブル天板３と、前記脚柱２の下端に等角配置で放射方向に突設された４本の脚足４１、４１、４２、４２とが基本構成とされる。
【００１８】
前記テーブル天板３は、前記脚柱２の上端に転回支持手段５により水平姿勢と垂直姿勢とをとり得るよう転回自在に支持されている。
【００１９】
前記脚足４１、４１、４２、４２は、前記テーブル天板３を垂直姿勢としたときその一面側に位置する２本の脚足４１、４１が他面側に位置する２本の脚足４２、４２の上に重なり合うように位置し得る高さ位置に設けられており、テーブル天板３を垂直姿勢として該天板３が重なり合うように集積したときその前後に位置するスタックテーブル１の脚足が上下に重なり合ってスタックされるように形成されている。
【００２０】
各脚足４１、４１、４２、４２の先端にはキャスタ６、６・・・が設けられている。
【００２１】
前記転回支持手段５は、図１〜図３に示す実施形態では、脚柱２の上端に中央部が固着されて水平姿勢に設けられ枢軸７によりテーブル天板３を枢支する支持部８と、この支持部８の端部に設けられテーブル天板３を水平位置と垂直位置とに位置決めするための係止段部９１、９２を有する係止板９、９と、前記テーブル天板３の中央部下面の左右の軸受部間に回転可能に支持された操作杆１０と、この操作杆１０の端部に固着され前記係止段部９１または９２に選択的に係合する係止爪１１と、前記支持部８に突設され少なくとも上面がゴム等の弾性材で構成されていてテーブル天板３を水平姿勢に転回するときその下面を水平状態に安定支持するとともに転回時の衝撃を緩衡し、かつスタック時の位置決め用ストッパとして機能する突出部１２、１２と、前記操作杆１０を回転操作するため該操作杆１０に設けられた操作用ハンドル１３とで構成されている。
【００２２】
したがって図１のようにテーブル天板３を垂直姿勢に転回したときは、係止爪１１が垂直姿勢用の係止段部９１に係合してテーブル天板３を垂直姿勢に保持し、この状態からテーブル天板３を水平姿勢に変換するときは、操作用ハンドル１３を持って操作杆１０を回転させ、係止爪１１を前記係止段部９２から外してテーブル天板３を水平姿勢に転回させれば、テーブル天板３の下面は位置決め用の突出部１２、１２の上面で受け止められて水平方向に安定支持されるとともに係止爪１１が水平姿勢用の係止段部９２に係合してテーブル天板３が水平姿勢に拘束される。
【００２３】
このように、本発明によるスタックテーブル１は、不使用時にテーブル天板３を垂直姿勢とし、順次同じ向きにしてスタックすれば、図４〜図６に見られるようにその脚足４１と４２とが上下に重なり合って集積されるので、各スタックテーブル１、１・・・のテーブル天板３、３・・・を最接近状態としてスタックすることができる。また各突出部１２が隣位のテーブル天板３のテーブル面側に当接してスタック時のテーブル天板３、３・・・間の間隔が一定に定められ、整然とした姿にスタックすることができる。
【００２４】
図７はテーブル天板３の転回支持手段５の他の実施形態を示すもので、脚柱２の上端の支持部８の端部位置に係止板９Ａにテーブル天板３の下面の枠部３ａが枢軸１３により転回自在に支持されている。
【００２５】
前記枠部３ａには操作杆１４が挿通されてその一端の操作部１４ａがテーブル天板３の下面の手元位置におかれ、この操作杆１４の側面にはピン状の水平姿勢用の係止爪１５１と垂直姿勢用の係止爪１５２が突設され、これら係止爪１５１，１５２は枠部３ａの側面の長孔１６、１６から外側部に突出されており、前記操作杆１４は常時バネ１７により枠部３ａ内に引き込まれる方向に付勢されている。
【００２６】
前記係止板９Ａには、テーブル天板３を水平姿勢としたとき水平姿勢用係止爪１５１が係合する係止段部９Ａ１と、テーブル天板３を垂直姿勢としたとき垂直姿勢用係止爪１５２が係合する係止段部９Ａ２とを有している。
【００２７】
図７（Ａ）、（Ｂ）は、スタックテーブルをスタックする際にテーブル天板３を垂直姿勢に係止した状態を示しており、このときは係止板９Ａの係止段部９Ａ２に垂直姿勢用係止爪１５２が係合してテーブル天板３が垂直姿勢に係止されている。この状態から操作杆１４の操作部１４ａに手を掛けてバネ１７に抗して引くことにより垂直姿勢用係止爪１５２が係止段部９Ａ２から抜け、テーブル天板３を枢軸１３を中心に水平方向に転回されることができる。
【００２８】
その転回終端時に水平姿勢用係止爪１５１が図７（Ｂ）に矢印で示すように係止段部９Ａ１の上縁にそって移行するので、係止段部９Ａ１に至ると水平姿勢用係止爪１５１がバネ１７の付勢を受けて自動的に係止段部９Ａ１に嵌入し、その位置に係止され、テーブル天板３が水平姿勢に保たれる。
【００２９】
図８は前記転回支持手段５のさらに他の実施形態を示すもので、脚柱２の上端の支持部８の上面に係止板９Ｂが固着され、この係止板９Ｂの端部とテーブル天板３の下面の軸受とが枢軸１８により転回自在に支持されている。
【００３０】
テーブル天板３の下面には操作杆１９がガイド２０にそっておかれており、この操作杆１９の一端の操作部１９ａがテーブル天板３の下面の手元位置におかれ、常時操作杆１９はバネ２１により引き込まれる方向に付勢されている。
【００３１】
この操作杆１９の他端には、図８（Ｂ）に示すように突端状の垂直姿勢用係止爪２２２と水平姿勢用係止爪２２１が設けられ、この係止爪２２１は前記係止板９Ｂに設けられた孔構造の水平姿勢用係止段部２３１に、垂直姿勢用係止爪２２２は垂直姿勢用係止段部２３２に選択的に嵌入させて係止するようになっている。
【００３２】
図８（Ａ）では、スタック時にテーブル天板３を垂直姿勢に係止した状態を示しており、このときは係止板９Ｂの垂直姿勢用係止段部２３２に操作杆１９の係止爪２２２が嵌入してテーブル天板３が垂直姿勢に係止されている。この状態から操作杆１９の操作部１９ａに手を掛けてバネ２１に抗して引くことにより係止爪２２が垂直姿勢用係止段部２３２から抜け、テーブル天板３を枢軸１８を中心に水平姿勢に転回させる。
【００３３】
テーブル天板３が水平姿勢に転回したのち操作杆１９を放せば、その水平姿勢用係止爪２２１が係止板９Ｂの水平姿勢用係止段部２３１に嵌入し、その位置に係止されてテーブル天板３が水平姿勢に保たれる。
【００３４】
【発明の効果】
以上説明したように本発明によれば、１本の脚柱を有するテーブルであっても、テーブル天板と脚柱とを分離解体させることなく最小容積の形態としてスタックすることができ、またスタックしたとき直列状態になるので、格納スペースを無駄なく有効に使用することができ、狭い格納スペースであっても多数のテーブルを格納することができる。
【００３５】
請求項２の転回支持手段を用いれば、係止杆の操作だけでテーブル天板の姿勢を変換させることができるので、多数のテーブルの処理であっても簡単迅速に行うことができる。
【図面の簡単な説明】
【図１】本発明によるスタックテーブルの一実施形態のテーブル天板を垂直姿勢に転回した状態を示す斜視図。
【図２】（Ａ）、（Ｂ）は図１における回転支持手段の天板垂直時、同水平時の係止状態を示す説明図。
【図３】図１の背面図。
【図４】図１のスタックテーブルをスタックした状態を示す斜視図。
【図５】同、側面図。
【図６】同、平面図。
【図７】テーブル天板の転回支持手段の他の例を示し、（Ａ）はテーブル天板を垂直姿勢に係止した状態の斜視図、（Ｂ）は同側面図。
【図８】テーブル天板の転回支持手段のさらに他の例を示し、（Ａ）はテーブル天板を垂直姿勢に係止した状態の側面図、（Ｂ）は（Ａ）の操作杆の係止爪を示す斜視図。
【図９】（Ａ）、（Ｂ）は従来のスタックテーブルのスタック状態を示す斜視図。
【符号の説明】
１  本発明によるスタックテーブル
２  脚柱
３  テーブル天板
４１，４２  脚足
５  転回支持手段
６  キャスタ
７、１３，１８  枢軸
８  支持部
９，９Ａ，９Ｂ  係止板
９１，９Ａ１、２３１  水平姿勢用係止段部
９２、９Ａ２、２３２  垂直姿勢用係止段部
１０，１４，１９  操作杆
１１  係止爪
１５１、２２１  水平姿勢用係止爪
１５２、２２２  垂直姿勢用係止爪
【図１】
2004187851.tif 000003
【図２】
2004187851.tif 000004
【図３】
2004187851.tif 000005
【図４】
2004187851.tif 000006
【図５】
2004187851.tif 000007
【図６】
2004187851.tif 000008
【図７】
2004187851.tif 000009
【図８】
2004187851.tif 000010
【図９】
2004187851.tif 000011